(57)【要約】【課題】動作モードが再生モードになった映像機器からの映像信号が自動的に選択されるようにした映像信号切換装置を提供すること。【解決手段】図示してない３台の映像機器から入力段１に供給されている３種類の映像信号Ａ、Ｂ、Ｃの中の１種を信号選択部６で切換選択して映像表示装置に供給するようにした映像信号切換装置において、映像機器が再生モードにされたとき出力されるＯＳＤデータを予め各映像機器毎にＯＳＤデータ格納用メモリ３に格納しておき、比較器４によりメモリ部２から入力される信号Ａ、Ｂ、ＣをＯＳＤデータ格納用メモリ３から入力されるＯＳＤデータと比較し、比較判定回路５により信号Ａ、Ｂ、Ｃの中でＯＳＤデータが存在した信号が検出されたとき、当該信号に切換える制御信号Ｘを信号選択部６に供給し、当該信号が映像表示装置に自動的に供給されるようにしたもの。【選択図】図１
2008011367.tif 000002
【特許請求の範囲】
【請求項１】
外部から入力される複数の映像信号の中の１種の映像信号を選択して外部の画像表示装置に出力する映像信号切換装置において、
前記複数の映像信号の夫々にＯＳＤ信号が含まれているか否かを検出する手段を設け、
前記複数の映像信号の中でＯＳＤ信号が検出された映像信号が現われたとき、当該映像信号が選択され、前記外部の画像表示装置に出力されるように構成したことを特徴とする映像信号切換装置。
【請求項２】
請求項１に記載の映像信号切換装置において、
前記複数の映像信号の夫々にＯＳＤ信号が含まれているか否かの判定に閾値が設定されていることを特徴とする映像信号切換装置。
【請求項３】
請求項１に記載の映像信号切換装置において、
前記複数の映像信号の夫々にＯＳＤ信号が含まれているか否かの判定に使用する画像信号を、当該信号の同期が不安定になる期間の前後のフレームによる信号に限定する手段が設けられていることを特徴とする映像信号切換装置。
【請求項４】
請求項１に記載の映像信号切換装置において、
前記複数の映像信号の夫々にＯＳＤ信号が含まれているか否かの判定に使用する画像信号を、当該信号による画面の特定部分による信号に限定する手段が設けられていることを特徴とする映像信号切換装置。
【発明の詳細な説明】
【技術分野】
【０００１】
本発明は、複数の映像信号入力端子を備えた画像表示装置やＡＶセレクタなどの映像選択装置における出力画像信号の選択手段に関するものである。
【背景技術】
【０００２】
複数の外部入力端子が設けられているテレビジョン受像機やＡＶセレクタなどの映像機器においては、取り込もうとする映像が入力されている端子を複数の入力端子の中から選択する必要があり、このため、一般には入力端子切換手段が設けられている。そして、このときの切換えについては、当初、例えばリモコンやスイッチを用い、トグル方式(いわゆる循環順送り方式)により、ユーザー(使用者)が自ら切換える方法が主流であった。
【０００３】
しかして、近年に至り、操作の簡便化を狙って、入力端子に対するプラグ接続の有無や入力端子に現れる信号の有無を検知し、信号が現れた入力端子を選択して切換えることにより、手動操作によらず、自動的に入力端子の切換えが得られるようにした映像機器が従来技術として提案されるようになってきた(例えば特許文献１、２参照。)。このとき、上記の信号の有無の検知による従来技術の場合、通常、映像信号に含まれている同期信号を検知して切換えるのが一般的である。
【特許文献１】特願２００１−８１１５号公報
【特許文献２】特願２０００−５９７０３号公報
【発明の開示】
【発明が解決しようとする課題】
【０００４】
上記従来技術は、常時、信号が入力されている場合を想定しておらず、この場合はユーザーの要求に応えられないという問題があった。本発明が対象としている映像信号切換装置の場合、外部入力端子に接続される機器としては、いわゆるビデオデッキなど、テレビジョン放送を受信して記録することができるようにチューナーを内蔵したタイプの機器があり、この場合、電源がＯＮになっていれば、タイマー録画など、たとえ録画動作中であっても、出力端子には映像信号が出力されているようになっているのが通例である。
【０００５】
一方、このような場合、ユーザーが希望するのは、通常、ビデオデッキなどの機器で記録媒体から再生された映像信号の選択であるが、従来技術では、とにかく映像信号が入力されていれば、その入力端子が選択されてしまうだけであり、従って、従来技術では、ユーザーの要求に応えられないという問題が生じてしまうのである。
【０００６】
また、従来技術では、複数の入力端子に同時に映像信号が入力された場合も想定されておらず、この場合、複数の入力端子が同時に選択されてしまうか、何れも選択されないことになるのか、切換結果は不定で、ユーザーの意図しない処理になってしまう可能性があり、やはりユーザーの要求には応えられないことになってしまう。
【０００７】
本発明の目的は、動作モードが再生モードになった映像機器からの映像信号が自動的に選択されるようにした映像信号切換装置を提供することにある。
【課題を解決するための手段】
【０００８】
ここで、本発明は、複数の機器が接続されているテレビジョン受像機やＡＶセレクタなどの機器において、ユーザーが見たいと望む映像は、再生が始まった機器から出力される映像信号によるものであることに着目してなされたもので、このため、従来技術の同期信号や端子接続検知での切換えではなく、再生開始時に画面上に出る「再生」の文字や特有の記号などのＯＳＤ表示パターンを検知することで、自動的に入力信号の選択を行うようにしたものである。ここで、ＯＳＤとは、オンスクリーンディスプレイ(on-screen display)の略称である。
【０００９】
このとき、映像機器によるＯＳＤ表示には、機種毎に特有の表示パターンがあり、ＯＳＤの表示機能をＯＮ(オン)の状態にしておくと、再生などの処理を開始した時点で、このＯＳＤ表示が画面上に短時間の間だけ現れる。そこで、これを利用して、再生などの処理を行ったときのＯＳＤ表示データや表示される位置の情報を予め機種毎にメモリに登録しておき、各入力端子からの映像信号と比較を行って登録されているＯＳＤデータの有無を確認する。そして、登録したＯＳＤが検知された入力信号があった場合は、ユーザーが、この信号を出力している機器にて再生等の処理を行ったものと判断し、外部のモニタ等への出力映像として選択、切り換えを行うことが考えられる。
【００１０】
ところで、一般に、映像機器は、再生開始時、画像乱れを伴うが、このときは重畳されているＯＳＤデータにも影響が現われ、データ形状や位置などが変動する。このため、完全に一致したＯＳＤのみを判定するのでは、実用性がない。そこで、この判定誤差も考慮し、比較判定には一定の閾値を設けておき、その数値を超えた場合のみ、再生状態と判断する回路を設けることも考えられ、また、実際の映像信号にＯＳＤと類似した場面がある虞もあるので、この場合にも誤判別しないように、比較判定の対象を、再生開始時の同期が切換わる前後の画像データに限定する対応も考えられる。
【００１１】
従って、上記の目的は、外部から入力される複数の映像信号の中の１種の映像信号を選択して外部の画像表示装置に出力する映像信号切換装置において、前記複数の映像信号の夫々にＯＳＤ信号が含まれているか否かを検出する手段を設け、前記複数の映像信号の中でＯＳＤ信号が検出された映像信号が現われたとき、当該映像信号が選択され、前記外部の画像表示装置に出力されるようにして達成される。
【００１２】
このとき、前記複数の映像信号の夫々にＯＳＤ信号が含まれているか否かの判定に閾値が設定されているようにしても上記目的が達成され、前記複数の映像信号の夫々にＯＳＤ信号が含まれているか否かの判定に使用する画像信号を、当該信号の同期が不安定になる期間の前後のフレームによる信号に限定する手段が設けられているようにしても上記目的が達成され、更には前記複数の映像信号の夫々にＯＳＤ信号が含まれているか否かの判定に使用する画像信号を、当該信号による画面の特定部分による信号に限定する手段が設けられているようにしても上記目的が達成される。
【発明の効果】
【００１３】
本発明によれば、装置に接続されている複数の映像機器が電源ＯＮや録画中で映像信号を出力しているときでも、再生モードにされた映像機器が現れると、それだけで、その映像機器の信号を選択するための切換動作が自動的に行なわれるようになる。従って、ユーザーは、再生したい画像があったら単に映像機器を再生動作にするだけで、信号切換え操作をしなくても済むことになり、ユーザーの要求を満足させることができる。
【発明を実施するための最良の形態】
【００１４】
以下、本発明による映像信号切換装置について、図示の実施の形態により詳細に説明する。ここで、図１は本発明の一実施形態を示したブロック図で、このとき映像信号切換装置の全体を１０で表わすと、これは、図示のように、入力段１と画像メモリ部２、ＯＳＤデータ格納用メモリ３、比較器４、比較判定回路５、信号選択部６、それに同期検出器７で構成されている。そして、このとき、例えばビデオデッキなど３台の映像機器から信号Ａ、信号Ｂ、信号Ｃの３種類の映像信号が個別に入力されているものとする。
【００１５】
ここでまず、入力段１は、ビデオデッキなどの映像出力機器からの信号が入力される部分で、映像信号切換装置１０の複数の映像入力端子に相当し、ここに入力された３種類の映像信号、すなわち信号Ａ、信号Ｂ、信号Ｃの３種類の映像信号は、画像メモリ部２とＯＳＤデータ格納用メモリ３、信号選択部６、それに同期検出器７に夫々平行して供給されるようになっている。このとき画像メモリ部２にはフレームメモリＡとフレームメモリＢ、それにフレームメモリＣの３個のフレームメモリが設けてあり、入力段１に信号が入力された場合、それら入力された信号Ａ、Ｂ、Ｃが各フレームメモリＡ、Ｂ、Ｃに夫々個別に記憶されるようになっている。
【００１６】
このとき、ＯＳＤデータ格納用メモリ３には、入力されている機器毎のＯＳＤデータと、その位置データが記憶され、予め登録されるようになっている。そうすると、比較器４には、画像メモリ２の各フレームメモリＡ、Ｂ、Ｃから夫々の映像信号が入力され、これと共にＯＳＤデータ格納用メモリ３から夫々の機器に対応するＯＳＤデータが入力されるので、比較器４は、これら入力された映像信号とＯＳＤデータをライン毎に比較し、比較結果を比較判定回路５に供給する。そこで、比較判定回路５では、入力された比較結果に基づいて、このとき入力されている映像信号にＯＳＤ表示用のデータが存在しているか否かを判断し、判定結果を制御信号Ｘとして信号選択部６に供給する。
【００１７】
ここで、信号選択部６は、入力段１から供給されている３種類の信号Ａ、Ｂ、Ｃの何れか１種を選択し、それに切換えて外部に出力させ、テレビジョン受像機などの画像表示装置に供給する働きをするものであるが、このための信号の切換制御は、一方では上記した比較判定回路５から供給される制御信号Ｘにより行われ、他方ではリモコン等によりユーザーから与えられる制御信号Ｙにより行われれる。そして、このときの切換結果は最後の制御信号が優先する。つまり制御信号Ｘ(又は制御信号Ｙ)が入力されたら、その後に制御信号Ｙ(又は制御信号Ｘ)が入力されるまでは制御信号Ｘ(又は制御信号Ｙ)による切換結果が保持されるのである。
【００１８】
このとき、制御信号Ｘ、Ｙは、夫々３種類の信号Ａ、Ｂ、Ｃに対応して、同じく３種類の切換モード、すなわちモードａ、ｂ、ｃの３種類の切換モードを持っている。そして、まず、比較判定回路５は、ＯＳＤ表示用のデータが存在しているのが信号Ａのときは制御信号Ｘを切換モードａにし、信号Ｂのときは切換モードｂに、そして信号Ｃのときは切換モードｃにする。他方、制御信号Ｙは、ユーザーにより、例えばトグル方式によって切換モードａ、切換モードｂ、切換モードｃの何れかに設定される。そこで信号選択部６は、制御信号Ｘ、Ｙの何れの場合でも、それが切換モードａのときは信号Ａを選択し、切換モードｂのときは信号Ｂを選択し、そして切換モードｃのときは信号Ｃを選択して、夫々選択された映像信号を外部の装置に出力するのである。
【００１９】
ところで、この信号切換装置１０では、図示のように、比較判定回路５に判定用として所定の閾値ｔｈが設定されている。また、ここには同期検出器７が設けられていて、これから同期検出信号Ｇが出力され、比較器４と比較判定回路６に入力されているが、これらの作用効果については、後で詳述する。
【００２０】
次に、この実施形態の動作について、図２により説明する。ここで、この図２は、映像機器が再生動作を行ったとき表示されるＯＳＤを含めた映像全体のデータがどのように表現されるかを説明するための図で、まず、図２(a)は、映像機器が電源ＯＮされ、チューナで受信されている映像が表示されている状態を示したもので、ここでは、説明のため、一例として、灰色一色の背景の中央に、背景より少し明るい六角形の図形が存在しているだけの単純化した画像の場合について示されている。
【００２１】
次に、図２(b)は、当該映像機器が再生モードにされた直後の画像を示したもので、このとき画面にＯＳＤ表示が現れるが、ここで当初は、もとの映像自体には変化がなく、その画像にＯＳＤ表示が重畳されるだけである。そして、このときのＯＳＤ表示の形状や現れる位置については、映像機器の種別によって異なるが、ここでは、説明のため簡単な一例として、画面右上部に「再生」の文字が表示され、その下に再生モードを表わす記号として、横向き三角形の図形が表示されるようにした場合が示されている。
【００２２】
そして、この後、再生モードにされたことにより、記録媒体から再生されてくる画像が、もとの画像に代わって出力されるようになる。そこで、このときの画像を示したのが図２(c)であり、このときの再生画像には、一例として、同じく灰色の背景の中央部分に少し明るい楕円の図形が存在している画像に単純化してある。このとき、ＯＳＤ表示は、これも映像機器の種別によって異なるが、例えば３０秒程度の時間、継続された後、消えるようになっている。そして、この図２(c)では、まだＯＳＤ表示が残っている状態が示されている。
【００２３】
ここで、画像信号は、図２(c)にスキャンラインとして示されている水平ライン毎の画像データで構成されている。そこで、このとき１ラインのデータがどのようになっているかを示したのが図２(d)で、ここでは、一例として、図２(c)に※印を付してあるスキャンラインにおける輝度データが示されているが、この場合、図示のように、まず、水平同期信号があり、次に背景部分により現れる灰色の部分が続くが、この間に楕円図形部分による輝度が高い部分が現れ、灰色の部分にくると輝度が下がり、ＯＳＤ表示のところで輝度が高くなり、最後に灰色に戻るという輝度変化により１ラインのデータが構成されている。
【００２４】
この１ライン毎のデータを画面全体でまとめたものが映像となるが、この中でＯＳＤ表示部分に着目すると、そこには、決まった輝度(色差)レベルのデータが決まった位置に必ず現れる。そこで、画面全体を画像メモリ部６の各フレームメモリＡ、Ｂ、Ｃに格納して、事前にＯＳＤデータ格納用メモリ３に格納しておいたＯＳＤデータとの比較を比較器４でライン毎に行い、再生状態を示すＯＳＤが決められた表示位置に出ているか否かを比較判定回路５で判断し、制御信号Ｘを信号選択部６に供給して、信号Ａ、Ｂ、Ｃの選択切換を制御するのである。
【００２５】
従って、この実施形態によれば、入力段１に接続されている３台の映像機器の中に再生モードにされた映像機器が現われると、それだけで当該映像機器からの画像信号が信号選択部６により自動的に選択され、画像表示装置に出力されることになり、この結果、ユーザーは、見たい画像があったとき、３台ある映像機器の中で当該画像の信号源になっている映像機器を再生モードにするだけで済み、使い勝手の良さを充分に享受できることになる。
【００２６】
ここで、比較判定回路５に設定されている閾値ｔｈについて説明する。
【００２７】
デオデッキなどの映像機器の場合、通常の使用環境では、受信状態や再生開始直後のトラッキング動作等の影響により、画像信号に同期や映像の乱れが発生する場合があるが、この場合はＯＳＤ表示部分も同じく影響を受け、画像に歪みが生じたり、表示位置にずれが生じたりする。そうすると、この場合、比較判定回路５では、データの完全な一致が得られなくなってしまうので、再生モードにしたにもかかわらず、信号が切換えられなくなるなど、実用性に乏しくなってしまう虞がある。
【００２８】
そこで、比較判定回路５に閾値ｔｈを設定し、この閾値ｔｈのレベルで一致が取れた場合、制御信号Ｘが発生され、信号選択部６による切換動作が得られるようにしているのであり、従って、この実施形態によれば、実用性に富んだ信号切換動作を得ることができる。このときの閾値ｔｈについては、大き過ぎれば誤動作し易く、例えばノイズなどにより再生モードにしてないにもかかわらず信号が切換えられてしまったりし、小さ過ぎたのでは、上記したように、実用性が低下してしまう。そこで、ある程度、実験的に設定する必要があるのはいうまでもない。
【００２９】
次に、同期検出器７について説明すると、これは信号Ａ、Ｂ、Ｃを入力し、各々の同期信号により同期状態を検出し、比較器４による比較動作と比較判定回路５による判定動作を、同期状態が変動したときに限定する働きをする。これは、例えば、ビデオ再生画面の記録映像など、入力画像にＯＳＤデータと類似した映像部分があった場合には、誤った判定をしてしまう可能性があるからで、これを抑えるために設けたものであり、これは、映像機器が再生モードにされ、もとの映像から再生映像に切換わったときは同期信号も切換わり、このとき同期が変動するのを利用したものである。
【００３０】
すなわち、映像機器が再生モードにされ、もとの映像から再生されてくる映像に代わったときは同期信号も切換わり、同期が変動する。そこで、この同期変動を同期検出器７により検出して、同期検出信号Ｇを発生させ、同期変動があった場合にのみ、つまり当該信号の同期が不安定になる期間の前後のフレームによる信号に限定し、その同期変動前後のデータを比較対象とするように、比較器４と比較判定回路６を同期検出信号Ｇにより制御し、再生ＯＳＤ表示の判別を同期変動前後に限定することで、ＯＳＤ表示に類似した映像が入力されても誤判定が回避できるようにしたのである。
【００３１】
ところで、再生時に表示されるＯＳＤデータが画面のどこに表示されるかは、映像機器毎に固定されている。例えば図２の例では画面右上部になっている。従って、このことから、画面内の比較すべき部分も限定できる。そこで、比較器４での比較処理をＯＳＤデータ格納用メモリ３に格納されている位置データの示す特定範囲(ライン)に限定して行うようにして実施しても良い。この場合、画像メモリ部２の各フレームメモリについては、１フレーム分のメモリ容量から数ライン分のメモリサイズに縮小することができ、コスト面で有利になる。
【図面の簡単な説明】
【００３２】
【図１】本発明による映像信号切換装置の一実施の形態を示すブロック構成図である。
【図２】本発明の一実施の形態の動作説明図である。
【符号の説明】
【００３３】
１：入力段
２：画像メモリ部
３：ＯＳＤデータ格納用メモリ
４：比較器
５：比較判定回路
６：信号選択部
７：同期検出器
Ｇ：同期検出信号
Ｘ：制御信号(比較判定回路５による制御信号)
Ｙ：制御信号(ユーザーによる制御信号)
ｔｈ：判定閾値
【図１】
2008011367.tif 000003
【図２】
2008011367.tif 000004